(57)【要約】【課題】  周辺基板での電源の短絡による悪影響が遊技機全体に波及することを防止する。【解決手段】  複数の周辺基板が直列接続され、ループ状の電源系統を持つ遊技機において、複数の周辺基板ＰＢ１乃至ＰＢ５は、それぞれ、両側に接続された他の周辺基板における電源の短絡を監視する電源監視回路ＭＯＮと、電源監視回路ＭＯＮで電源の短絡を検出したときに、そちらの側の電源供給を遮断する第１遮断回路及び第２遮断回路と、を備える。第１遮断回路及び第２遮断回路で電源を遮断することで、電源の短絡した周辺基板を切り離すことができる。【選択図】        図４
2008132072.tif 000002
【特許請求の範囲】
【請求項１】
それぞれ電源に接続される２つの端側の周辺基板と、２つの前記端側の周辺基板から電源を受けるひとつ又は複数の中間の周辺基板とを備える遊技機において、
前記端側の周辺基板及び前記中間の周辺基板は、それぞれ、当該周辺基板における電源供給線に接続された第１コネクタと第２コネクタとを含み、
２つの前記端側の周辺基板の一方において当該周辺基板の前記第１コネクタは電源を受け、当該周辺基板の前記第２コネクタは前記中間の周辺基板のいずれかの前記第１コネクタに接続され、
２つの前記端側の周辺基板の他方において当該周辺基板の前記第２コネクタは電源を受け、当該周辺基板の前記第１コネクタは前記中間の周辺基板のいずれかの前記第２コネクタに接続され、
隣接する前記中間の周辺基板間において一方の前記第１コネクタは他方の前記第２コネクタに接続され、
前記端側の周辺基板及び前記中間の周辺基板は、それぞれ、
前記第１コネクタに接続された前記周辺基板における電源の短絡及び前記第２コネクタに接続された前記周辺基板における電源の短絡を監視する電源監視回路と、
前記電源監視回路で前記第１コネクタに接続された前記周辺基板における電源の短絡を検出したときに、前記第１コネクタの電源供給線を切断する第１遮断回路と、
前記電源監視回路で前記第２コネクタに接続された前記周辺基板における電源の短絡を検出したときに、前記第２コネクタの電源供給線を切断する第２遮断回路と、を備えることを特徴とする遊技機。
【請求項２】
前記端側の周辺基板及び前記中間の周辺基板は、それぞれ、
前記第１コネクタと前記第２コネクタとを接続する前記電源供給線に直列に設けられた抵抗を備え、
前記電源監視回路は、前記抵抗の両端の電位差を測定し、これが予め定められた値より大きいときに電源の短絡と判定し、
前記抵抗の前記第１コネクタ側の端の電圧が低いときに前記第１遮断回路を動作させ、
前記抵抗の前記第２コネクタ側の端の電圧が低いときに前記第２遮断回路を動作させる、ことを特徴とする請求項１記載の遊技機。
【請求項３】
電源用の第１コネクタ及び第２コネクタをそれぞれ含む複数の周辺基板を備える遊技機において、前記複数の周辺基板それぞれで電源の短絡を監視する方法であって、
前記周辺基板における電源供給線の電流を監視するステップと、
前記電源供給線を流れる電流が予め定められた値よりも大きくなったとき、電源が短絡したと判定するステップと、
電流の向きを判定するステップと、
電流が前記第２コネクタから前記第１コネクタへ流れているとき、前記第１コネクタへの電源の供給を遮断するステップと、
電流が前記第１コネクタから前記第２コネクタへ流れているとき、前記第２コネクタへの電源の供給を遮断するステップと、を備える遊技機の電源供給監視方法。
【請求項４】
電源用の第１コネクタ及び第２コネクタをそれぞれ含む複数の周辺基板を備える遊技機において、前記複数の周辺基板それぞれで電源の短絡を監視する方法をコンピュータに実行させるためのプログラムであって、
前記周辺基板における電源供給線の電流を監視するステップと、
前記電源供給線を流れる電流が予め定められた値よりも大きくなったとき、電源が短絡したと判定するステップと、
電流の向きを判定するステップと、
電流が前記第２コネクタから前記第１コネクタへ流れているとき、前記第１コネクタへの電源の供給を遮断するステップと、
電流が前記第１コネクタから前記第２コネクタへ流れているとき、前記第２コネクタへの電源の供給を遮断するステップと、を実行させるためのプログラム。
【発明の詳細な説明】
【技術分野】
【０００１】
この発明は、遊技機及び遊技機の電源供給監視方法並びにプログラムに関し、特に、遊技機に備えられている周辺基板の電源の短絡の検知及び電源の遮断に関する。
【背景技術】
【０００２】
スロットマシン等の遊技機は、遊技の提供や遊技媒体の投入や払い出しに関する処理を電気的制御により行っている。遊技機は、ＣＰＵ（コンピュータ）を搭載した処理基板（メイン基板、サブ基板）とともに、処理基板に接続されて遊技機の照明の点滅を行ったり、音響を発生するための周辺基板を備える。処理基板と周辺基板には、その動作用電源として直流電流が供給されている。
【０００３】
処理基板又は周辺基板が故障することがある。処理基板が故障した場合には遊技の提供や遊技媒体の投入や払い出しに関する処理が出来なくなるので緊急に対処する必要があるが、周辺基板は遊技の提供や遊技媒体に関する処理を直接扱っていないので、遊技の続行は可能である。周辺基板が故障したままの状態で（例えば電飾用基板の一部が壊れ、遊技機の照明が消灯しているといった状態で）営業を続け、営業終了後に故障した周辺基板を交換するといった柔軟な対応が可能である。
【０００４】
処理基板又は周辺基板の故障の態様のひとつとして、電源が短絡することがある。例えば、電源を供給するワイヤハーネスがヒンジに引っ掛かり電線の被覆が破れてショートしたり、基板上の電源供給線に設けられたコンデンサが故障（ショート）することがある。電源の短絡が周辺基板に生じた場合でも、遊技機の電源のブレーカが落ちるなどによりその影響は全ての基板に及び、遊技機の動作が停止するので緊急に対処する必要がある。この点が周辺基板の電源の短絡以外の故障とは異なる。周辺基板での電源の短絡という故障が結果として重大な影響を与えることになる。
【０００５】
電源の短絡という故障に対処する技術を開示するものとして、以下の特許文献に記載されたものがある。
【特許文献１】特開平５−３２８６０５号公報「オンボード電源の並列運転回路」
【特許文献２】特開平６−２０２７１４号公報「パラレル入出力装置」
【特許文献３】特開２００１−４６６００号公報「遊技機」
【特許文献４】特開２００４−１０９０５６号公報「電源供給監視装置および電源供給監視方法」
【特許文献５】特開２００１−１８７１９２号公報「パチンコ機および記録媒体」
【発明の開示】
【発明が解決しようとする課題】
【０００６】
上述のように、遊技機の周辺基板への電源供給ラインが何らかの原因でショートすると遊技機全体が正常に動作しなくなるという問題があった。
【０００７】
この発明は、上記課題を解決するためになされたもので、周辺基板での電源の短絡による悪影響が遊技機全体に波及することを防止できる遊技機及び遊技機の電源供給監視方法並びにプログラムを提供することを目的とする。
【課題を解決するための手段】
【０００８】
この発明は、それぞれ電源に接続される２つの端側の周辺基板と、２つの前記端側の周辺基板から電源を受けるひとつ又は複数の中間の周辺基板とを備える遊技機において、
前記端側の周辺基板及び前記中間の周辺基板は、それぞれ、当該周辺基板における電源供給線に接続された第１コネクタと第２コネクタとを含み、
２つの前記端側の周辺基板の一方において当該周辺基板の前記第１コネクタは電源を受け、当該周辺基板の前記第２コネクタは前記中間の周辺基板のいずれかの前記第１コネクタに接続され、
２つの前記端側の周辺基板の他方において当該周辺基板の前記第２コネクタは電源を受け、当該周辺基板の前記第１コネクタは前記中間の周辺基板のいずれかの前記第２コネクタに接続され、
隣接する前記中間の周辺基板間において一方の前記第１コネクタは他方の前記第２コネクタに接続され、
前記端側の周辺基板及び前記中間の周辺基板は、それぞれ、
前記第１コネクタに接続された前記周辺基板における電源の短絡及び前記第２コネクタに接続された前記周辺基板における電源の短絡を監視する電源監視回路と、
前記電源監視回路で前記第１コネクタに接続された前記周辺基板における電源の短絡を検出したときに、前記第１コネクタの電源供給線を切断する第１遮断回路と、
前記電源監視回路で前記第２コネクタに接続された前記周辺基板における電源の短絡を検出したときに、前記第２コネクタの電源供給線を切断する第２遮断回路と、を備えるものである。
【０００９】
前記端側の周辺基板及び前記中間の周辺基板は、例えば、それぞれ、
前記第１コネクタと前記第２コネクタとを接続する前記電源供給線に直列に設けられた抵抗を備え、
前記電源監視回路は、前記抵抗の両端の電位差を測定し、これが予め定められた値より大きいときに電源の短絡と判定し、
前記抵抗の前記第１コネクタ側の端の電圧が低いときに前記第１遮断回路を動作させ、
前記抵抗の前記第２コネクタ側の端の電圧が低いときに前記第２遮断回路を動作させるものである。
【００１０】
この発明は、電源用の第１コネクタ及び第２コネクタをそれぞれ含む複数の周辺基板を備える遊技機において、前記複数の周辺基板それぞれで電源の短絡を監視する方法であって、
前記周辺基板における電源供給線の電流を監視するステップと、
前記電源供給線を流れる電流が予め定められた値よりも大きくなったとき、電源が短絡したと判定するステップと、
電流の向きを判定するステップと、
電流が前記第２コネクタから前記第１コネクタへ流れているとき、前記第１コネクタへの電源の供給を遮断するステップと、
電流が前記第１コネクタから前記第２コネクタへ流れているとき、前記第２コネクタへの電源の供給を遮断するステップと、を備えるものである。
【００１１】
この発明は、上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１２】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１３】
この発明によれば、電源供給線を流れる電流を監視する電源監視回路と、流れる電流が過大となり電源が短絡したと判定したときに電源の供給を遮断する遮断回路とを備えたので、ひとつの周辺基板の電源の短絡による悪影響が他の周辺基板及び遊技機全体に波及することを防止できる。これにより周辺基板の電源の短絡時にも遊技を継続することが可能になる。
【発明を実施するための最良の形態】
【００１４】
図１は前扉を閉めた状態を示す遊技機（スロットマシン）の正面図、図２は前扉を１８０度開いた状態を示す遊技機の正面図を示す。
図１及び図２中、１００は遊技機を示すもので、この遊技機１００は、図１に示すように、遊技機本体１２０と、この遊技機本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルを遊技機１００外に強制的に排出するためのリジェクトボタン１３３が設けられている。
【００１５】
また、前記ゲーム表示部１３１の左下方には、ゲームを開始するためのスタートスイッチ１３４を設けてあり、３つのリールのそれぞれに対応して３つのストップスイッチ１４０を設けてある。前扉の下端部中央には、メダルの払出し口１３５を設けてある。
前記ゲーム表示部１３１の右側には、液晶表示装置ＬＣＤが設けてある。液晶表示装置ＬＣＤは、遊技に係る演出を行うとともに、故障した周辺基板を報知する（後述）ものである。
【００１６】
遊技機本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。遊技機本体１２０の内部には、前扉１３０を閉めたときにゲーム表示部１３１が来る位置に三個の回転リールからなるリールユニット２０３が設置されている。ゲーム表示部１３１には開口部が設けられていて、それを通して遊技者が前記リールユニット２０３の各回転リールの図柄を見ることができるようになっている。ホッパ装置１２１の上側のリールユニット２０３との間には電源部２０５が設けられている。
【００１７】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００１８】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００１９】
図３は発明の実施の形態に係る遊技機１００の機能ブロック図を示す。
この図において電源系統についての表示は省略されている。遊技機１００は、その主要な処理装置としてメイン基板１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２０】
メイン基板１０は、遊技者の操作を受けて内部抽選を行ったり、リールの回転・停止やメダルの払い出しなどの処理を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２１】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２２】
メイン基板１０にはスタートスイッチ１３４，ストップボタン１４０，リールユニット（リール駆動装置を含む）２０３，リール位置検出回路７１、ホッパ駆動部８０、ホッパ８１及びホッパ８１から払い出されたメダルの枚数を数えるためのメダル検出部８２（これらは前述のホッパ装置１２１を構成する）が接続されている。サブ基板２０には液晶表示装置の制御用の液晶制御基板２００、スピーカ基板２０１、電飾用のＬＥＤ基板２０２などの周辺基板（ローカル基板）が接続されている。図３では示していないが、液晶制御基板２００には図１に示された液晶表示装置ＬＣＤが接続されている。
【００２３】
以下の説明において、サブ基板２０に接続されているスピーカ基板２０１やＬＥＤ基板２０２などを周辺基板ＰＢと記すことにする。周辺基板ＰＢには、電飾を行うためのものや音響を発生するものなどがあるが、サブ基板２０から電源を受けて動作するという点で共通する。なお、周辺基板ＰＢはそれぞれ固有のアドレスが割り当てられ、当該アドレスを指定してサブ基板２０から周辺基板ＰＢへ信号を送ることで、周辺基板ＰＢに所定の動作を行わせたり、周辺基板ＰＢから信号を受けることでサブ基板２０でその状態を知ることができるものとする。
【００２４】
上述のように、メイン基板１０及びサブ基板２０は、ＣＰＵを中心に構成され、ＲＯＭ、ＲＡＭ、Ｉ／Ｏ等を備えている。そして、ＣＰＵが遊技者の操作を受けてＲＯＭに記憶されたプログラムを読み込むことで所定の動作を行う。具体的には、スタートスイッチ１３４及びストップボタン１４０の操作に基づきリールユニット２０３に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
メイン基板１０とサブ基板２０は、遊技に関する処理を行う処理部である。
【００２５】
遊技機で遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット２０３の駆動を開始させる。リールユニット２０３は、ストップボタン１４０によりその駆動が停止される。リールユニット２０３は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２６】
図４に、図３で省略した発明の実施の形態に係るサブ基板２０と周辺基板ＰＢの電源の接続系統図を示す。同図は、５つの周辺基板ＰＢ１乃至ＰＢ５がサブ基板２０に接続されている状態を示すが、これはあくまで一例である。同図の周辺基板ＰＢ１乃至ＰＢ５は電飾用あるいは音響用の基板であるが、発明の実施の形態の動作を説明するうえでその機能を区別する必要がないので単に「周辺基板」と表現している。また、同図は主に電源系統の接続を示し、信号系統の表示は省略している。
【００２７】
図４において、５つの周辺基板ＰＢ１乃至ＰＢ５が相互に直列に接続され、その両端に位置する周辺基板ＰＢ１、ＰＢ５の一方がそれぞれサブ基板２０経由で電源を受けている。すなわち、５つの周辺基板ＰＢ１乃至ＰＢ５はループ状に接続されている。周辺基板ＰＢ２乃至ＰＢ４の任意のものは両端の周辺基板ＰＢ１及びＰＢ５の両方から電源の供給を受けることができるので、ループのいずれか一箇所（例えば周辺基板ＰＢ３の内部の電源供給線）で断線が生じたとしても５つの周辺基板ＰＢ１乃至ＰＢ５の全てに電源が供給される。この点から、電源のループ状の接続は、電源切断という故障になりにくい構造と言える。
【００２８】
発明の実施の形態に係る図４のループ状の電源系統の構造を正確に記述すると以下の（ａ）乃至（ｅ）ようになる。以下の説明で、両端に位置する周辺基板ＰＢ１及びＰＢ５を「端側の周辺基板」と呼び、周辺基板ＰＢ１及びＰＢ５の間に位置する直列に接続された周辺基板ＰＢ２乃至ＰＢ４を「中間の周辺基板」と呼ぶことにする。なお、ループ状の電源系統においてはどの周辺基板がどの位置に配置されてもよく、周辺基板ＰＢ１及びＰＢ５の位置を入れ替えても構わない。また、周辺基板ＰＢ２乃至ＰＢ４のいずれかを周辺基板ＰＢ１又はＰＢ５の位置に配置してもよい。「端側の周辺基板」「中間の周辺基板」といった呼び方はあくまでその位置に着目したもので、電源を供給する機能及び後述の電源を遮断する機能に関して「端側の周辺基板」と「中間の周辺基板」が機能的に異なることを意味するものではない。
【００２９】
（ａ）それぞれ電源に接続される２つの端側の周辺基板ＰＢ１及びＰＢ５と、２つの前記端側の周辺基板ＰＢ１及びＰＢ５の両方から電源を受ける複数（図４の例では３つ）の中間の周辺基板ＰＢ２乃至ＰＢ４とを備える。
【００３０】
（ｂ）端側の周辺基板ＰＢ１及びＰＢ５及び中間の周辺基板ＰＢ２乃至ＰＢ４は、それぞれ、当該周辺基板における配線（電源供給線）ＷＨに接続された第１コネクタＣＯＮｉａ（ｉ＝１、・・・、５）と第２コネクタＣＯＮｉｂ（ｉ＝１、・・・、５）とを含む。第１コネクタから第２コネクタ又はその逆に電流が流れるとともに、配線（電源供給線）ＷＨから当該周辺基板の回路（音響発生回路など）に電流が流れる。
【００３１】
（ｃ）端側の周辺基板ＰＢ１の第１コネクタＣＯＮ１ａはサブ基板２０から電源を受け（あるいは電源部２０５から直接電源を受けてもよい）、その第２コネクタＣＯＮ１ｂは中間の周辺基板ＰＢ２の前記第１コネクタＣＯＮ２ａに接続されている。
【００３２】
（ｄ）端側の周辺基板ＰＢ５の第２コネクタＣＯＮ５ｂはサブ基板２０から電源を受け、その第１コネクタＣＯＮ５ａは中間の周辺基板ＰＢ４の第２コネクタＣＯＮ４ｂに接続されている。
【００３３】
（ｅ）中間の周辺基板ＰＢ２乃至ＰＢ４では、それぞれ、その第１コネクタＣＯＮｉａ（ｉ＝３，４）は他の中間の周辺基板の第２コネクタＣＯＮｉｂ（ｉ＝２、３）に接続されている。中間の周辺基板ＰＢ２の第１コネクタＣＯＮ２ａは端側の周辺基板ＰＢ１の第２コネクタＣＯＮ１ｂに接続され、中間の周辺基板ＰＢ４の第２コネクタＣＯＮ４ｂは端側の周辺基板ＰＢ５の第１コネクタＣＯＮ５ａに接続されている。
【００３４】
上記（ｃ）乃至（ｅ）により、周辺基板ＰＢ１乃至ＰＢ５は相互に直列に接続され、その電流系統はループ状になる。
【００３５】
図４に示された、発明の実施の形態に係る周辺基板ＰＢ１乃至ＰＢ５は、それぞれ、第１コネクタＣＯＮｉａ（ｉ＝１、・・・、５）に接続された相手側の周辺基板における電源の短絡及び第２コネクタＣＯＮｉｂ（ｉ＝１、・・・、５）に接続された相手側の周辺基板における電源の短絡を監視する（端側の周辺基板ＰＢ１及びＰＢ５においてサブ基板２０における電源の短絡を監視することを含む）電源監視回路ＭＯＮｉ（ｉ＝１、・・・、５）と、電源監視回路ＭＯＮｉ（ｉ＝１、・・・、５）で第１コネクタＣＯＮｉａ（ｉ＝１、・・・、５）に接続された周辺基板における電源の短絡を検出したときに、当該第１コネクタの配線を切断する第１遮断回路ＳＷｉａ（ｉ＝１、・・・、５）と、電源監視回路ＭＯＮｉ（ｉ＝１、・・・、５）で第２コネクタＣＯＮｉｂ（ｉ＝１、・・・、５）に接続された周辺基板における電源の短絡を検出したときに、当該第２コネクタの配線を切断する第２遮断回路ＳＷｉｂ（ｉ＝１、・・・、５）と、を備える。
【００３６】
電源監視回路ＭＯＮ１乃至ＭＯＮ５は、それぞれ、第１コネクタＣＯＮｉａ（ｉ＝１、・・・、５）に接続された周辺基板、又は、第２コネクタＣＯＮｉｂ（ｉ＝１、・・・、５）に接続された周辺基板において生じた電源の短絡を監視するものである。例えば、中間の周辺基板ＰＢ２の内部で電源の短絡が生じると、その両端に位置する周辺基板ＰＢ１及びＰＢ３のコネクタから周辺基板ＰＢ２に向けて過大な電流が流れ出る。周辺基板ＰＢ１の電源監視回路ＭＯＮ１がそれを検出し、遮断回路ＳＷ１ｂで周辺基板ＰＢ２への電流を遮断する。同様に、周辺基板ＰＢ３の電源監視回路ＭＯＮ３が電源の短絡を検出し、遮断回路ＳＷ３ａで周辺基板ＰＢ２への電流を遮断する。なお、過大な電流が流れ出ていない側の遮断回路ＳＷ１ａ及びＳＷ３ｂは電流を遮断しないので、周辺基板ＰＢ１及びＰＢ３は動作を継続することができる。
【００３７】
以上のように、発明の実施の形態によれば電源の短絡した周辺基板ＰＢ２への電流のみを遮断し、当該短絡による他の周辺基板への影響を排除できる。
【００３８】
なお、電源監視回路ＭＯＮ１乃至ＭＯＮ５から電源の短絡の検出結果を（例えば、サブ基板２０へ）出力し、当該出力を受けて故障の有無及び故障個所を報知するようにしてもよい。例えば、周辺基板ＰＢ１の電源監視回路ＭＯＮ１及び周辺基板ＰＢ３の電源監視回路ＭＯＮ３が電源の短絡検出したときは、サブ基板２０はそれらに挟まれた周辺基板ＰＢ２で電源が短絡している旨を報知する。サブ基板２０は、例えば、電源が遮断された周辺基板ＰＢ２の名称を、液晶表示装置ＬＣＤに表示するとともに、当該周辺基板の交換のやり方を表示する。
【００３９】
遊技機内で各周辺基板への電源供給線をループ状に接続している場合、ひとつの周辺基板内の電源供給線が何らかの原因でショートすると、この影響がシステム全体に及ぶことになる。そこで、発明の実施の形態に係る遊技機では、電源監視回路ＭＯＮにより、過大な電流が流れているかどうかを監視し、具体的には、ループ接続されている周辺基板内で当該基板の両出口（２つのコネクタ）の間で電源電圧の差が生じていないかどうかを比較し、これらに差が生じた場合は電源の短絡が生じていると判断して電源の短絡個所への電源の供給を切断することにより、システム全体がダウンするのを回避する。これにより、故障した周辺基板への電源の供給を停止でき、システム全体に支障がでることがなくなる。
【００４０】
発明の実施の形態によれば、周辺基板の故障（電源の短絡）自体を直すことはできないが、当該故障の影響がシステム全体に及ぶことを防止でき、結果的に故障個所（周辺基板）の特定が容易になり、メンテナンスでの不要な混乱を避けることもできる。
【００４１】
図５に、電源監視回路と遮断回路の具体例を示す。図５は、図４の５つの周辺基板ＰＢ１乃至ＰＢ５の電源系統のひとつを示す。どの電源系統も同じ構成であるため符号の数字は省略し、例えば第１コネクタＣＯＮａのように表記する。５つの周辺基板ＰＢ１乃至ＰＢ５のどの電源系統も同じ構成であることから、任意の周辺基板を端側・中間いずれにも配置できることは前述のとおりである。
【００４２】
図５において、抵抗Ｒａ及びＲｂ、作動増幅器３１ａ及び３１ｂ、コンパレータ３２ａ及び３２ｂ、基準電圧源３４ａ及び３４ｂは電源監視回路ＭＯＮを構成する。リレー３３ａは第１遮断回路ＳＷａを構成し、リレー３３ｂは第２遮断回路ＳＷｂを構成する。抵抗Ｒａ、作動増幅器３１ａ、コンパレータ３２ａ及び基準電圧源３４ａは、リレー３３ａを制御する回路であって第１コネクタＣＯＮａに接続されている相手の周辺基板の電源の短絡を検出するものであり、抵抗Ｒｂ、作動増幅器３１ｂ、コンパレータ３２ｂ及び基準電圧源３４ｂは、リレー３３ｂを制御する回路であって第２コネクタＣＯＮｂに接続されている相手の周辺基板の電源の短絡を検出するものである。リレー３３ａは第１コネクタＣＯＮａから流れ出る短絡時の電流を遮断し、リレー３３ｂは第２コネクタＣＯＮｂから流れ出る短絡時の電流を遮断する。
【００４３】
なお、コンパレータ３２ａ及び３２ｂは、電源の短絡の検知結果を保持する機能を備えるものとする。このような保持機能は、例えばリレーの自己保持回路、デジタルメモリ回路、アナログスイッチなどを用いたアナログメモリ回路で実現できる。コンパレータ３２ａ及び３２ｂの保持機能により電源の短絡した周辺基板ＰＢを電源供給線から切り離し、遊技機の他の部分への悪影響（電圧降下など）を防止できる。なお、コンパレータ３２ａ及び３２ｂに保持内容を初期状態に戻すリセット端子を設け、電源の短絡している周辺基板ＰＢが交換された後にリセットすることでリレー３３ａ及び３３ｂに電源の供給を再開させるようにしてもよい。遊技機の電源をオンのままで故障した周辺基板ＰＢを交換し、交換後にリセットすることで復旧させること（いわゆるホットスワップ）が可能になる。
【００４４】
配線ＷＨに直列に抵抗Ｒａ及びＲｂが設けられている。抵抗Ｒａ及びＲｂの両端の電圧がそれぞれ作動増幅器３１ａ及び３１ｂに入力されている。抵抗ＲａとＲｂの接続点Ａから電線が引き出され、これを通じて周辺基板に設けられた回路（例えば音響発生回路）へ電源が供給される。周辺回路自体の表示は省略している。
【００４５】
作動増幅器３１ａ及び３１ｂは、それぞれ抵抗Ｒａ及びＲｂの両端の電位差を求めてコンパレータ３２ａ及び３２ｂの入力端へ出力する。コンパレータ３２ａ及び３２ｂは、それぞれ作動増幅器３１ａ及び３１ｂの出力を予め設けられた基準電圧源３４ａ及び３４ｂの電圧と比較する。基準電圧源３４ａ及び３４ｂは、それぞれ予め定められた基準電圧ＶＴＨ＋及びＶＴＨ−を出力する。コンパレータ３２ａ及び３２ｂの出力は、それぞれリレー３３ａ及び３３ｂに入力され、リレーを駆動する。
【００４６】
図６を参照して、図５の回路の動作を説明する。図６（ａ）の横軸は、図５の周辺基板の配線ＷＨに流れる電流の大きさを示している。なお、電源短絡時の電流は周辺基板の回路の消費電流と比べて非常に大きいので、配線ＷＨには電源短絡時の電流のみが流れると仮定しても実用上支障はなく、周辺基板の回路の消費電流を無視（＝０）している。＋の領域は第１コネクタＣＯＮａから第２コネクタＣＯＮｂへ流れる電流を示し、−の領域はその逆方向へ流れる電流を示す。同図の縦軸は、作動増幅器３１ａ及び３１ｂの出力電圧（抵抗Ｒａ及びＲｂの両端の電位差に相当する）を示す。
【００４７】
図６（ｂ）は、図６（ａ）に対応するコンパレータ３２ｂの動作を示す。図６（ｃ）は、同じくコンパレータ３２ａの動作を示す。コンパレータ３２ｂは入力電圧が閾値ＶＴＨ＋よりも高くなったときに動作し、コンパレータ３２ａは入力電圧（作動増幅器の出力）が閾値ＶＴＨ−よりも低くなったときに動作する。コンパレータ３２ａと３２ｂは、電流の大きさだけでなくその流れる方向も併せて検知している。
【００４８】
電源の短絡が生じていなければ、配線ＷＨを流れる電流は所定の範囲内にあり、したがって、抵抗Ｒａ及びＲｂの両端の電圧も所定の範囲内（≒０）にある。抵抗Ｒａ及びＲｂの抵抗値は非常に小さく設定されているので、周辺基板の回路の消費電流のみによる両端の電圧は無視できる。
【００４９】
しかし、電源の短絡が生じると過大な電流が流れ、これに伴い抵抗Ｒａ及びＲｂの両端の電圧が著しく高くなる。例えば、第２コネクタＣＯＮｂの接続相手先の周辺基板で電源が短絡した場合、第１コネクタＣＯＮａから第２コネクタＣＯＮｂへ向かって大きな電流が流れる（図６（ａ）横軸の＋領域）。これに伴い、作動増幅器３１ａ及び３１ｂの出力が増大する（図６（ａ）縦軸の＋領域）。これをコンパレータ３１ｂで検出し、予め定められた規定電圧ＶＴＨ＋を超える電圧を検出したとき、電源の短絡が生じたと判定する。コンパレータ３１ｂの出力は短絡検出信号としてリレー３３ｂに入力される。短絡検出信号によりリレー３３ｂは駆動され、その接点３３ｂ−２をオフにすることで、電流を遮断する。リレー３３ｂの接点３３ｂ−１は短絡検出信号として使用することができる。
【００５０】
逆に、第１コネクタＣＯＮａの接続相手先の周辺基板で電源が短絡した場合、第２コネクタＣＯＮｂから第１コネクタＣＯＮａへ向かって大きな電流が流れる（図６（ａ）横軸の−領域）。この場合はコンパレータ３２ａ、リレー３３ａが動作する。
【００５１】
上記いずれの場合でも、電源の短絡した周辺基板に接続されたコネクタへの電源の供給を遮断するものの、他のコネクタの電源の供給は遮断されない。この遮断されなかったコネクタを通じて、図５の周辺基板の回路は電源の供給を受け、動作を継続できる。
【００５２】
ホール店員により電源短絡した周辺基板ＰＢが交換されたら、電源の再投入を行う（あるいはコンパレータ３２ａ及び３２ｂをリセットする）ことでリレー３３ａ及び３３ｂは復旧し、電源の供給が再開される。
【００５３】
図７は、電源監視回路と遮断回路の他の具体例を示す。図７では、抵抗Ｒと作動増幅器３１をひとつとしている。この場合、コンパレータ３２ｂの動作特性及び基準電圧源３４ｂの極性を逆にする必要があるが、これ以外は図５の回路と同じなので、その説明は省略する。
【００５４】
図８は、図５及び図６の回路が行う電源供給線の監視処理をプログラムで行うときのフローチャートである。図８は電源監視回路ＭＯＮが行う処理に相当し、周辺基板ＰＢの図示しないコンピュータ（ＣＰＵ）で電源の短絡の有無の判断と、遮断回路ＳＷａ及びＳＷｂの制御を行うものである。
【００５５】
電源がオンになったら（Ｓ１でＹＥＳ）、電源電流を監視する（Ｓ２）。電流が過大であれば短絡して過大電流が流れていることを意味する（Ｓ３でＹＥＳ）。このとき、電流の流れる向きを判定する（Ｓ４）。第２コネクタＣＯＮｂから第１コネクタＣＯＮａに向かって電流が流れているときは、第１コネクタへの電源の供給を停止する（Ｓ５）。第１コネクタＣＯＮａから第２コネクタＣＯＮｂに向かって電流が流れているときは、第２コネクタへの電源の供給を停止する（Ｓ６）。そして、その旨を報知する（Ｓ７）。
【００５６】
発明の実施の形態は３つ以上の周辺基板を備える遊技機に適用できる。図９に周辺基板が３枚の場合の例を示す。周辺基板が２枚の場合は電源系統をループ状にする意味はないので、発明の実施の形態に係る電源監視回路ＭＯＮと遮断回路ＳＷを適用する意義はあまりない。なお、サブ基板２０から周辺基板ＰＢ１及びＰＢ５への電源の供給を遮断するために、サブ基板２０にも電源監視回路ＭＯＮと遮断回路ＳＷ１及びＳＷ２を設けるようにしてもよい。
【００５７】
図１０は端側の周辺基板ＰＢ１とＰＢ５に適用できる他の回路例を示す。周辺基板ＰＢ１であれば、図１０の実線で示すようにリレーの接点３３ｂ−２と第２コネクタＣＯＮｂの間Ｂから配線を引き出し、周辺基板ＰＢ１の回路へ電源を供給する。周辺基板ＰＢ５であれば、図１０の点線で示すようにリレーの接点３３ａ−２と第１コネクタＣＯＮａの間Ｃから配線を引き出し、周辺基板ＰＢ５の回路へ電源を供給する。このようにすることで、周辺基板ＰＢ１又はＰＢ５の回路自身で電源が短絡したときに、リレー３３ｂまたは３３ａで電源を遮断し、他の周辺基板への悪影響を避けることができる。端側の周辺基板ＰＢ１とＰＢ５を図１０のように構成すれば、図９のようにサブ基板２０に電源監視回路ＭＯＮと遮断回路ＳＷ１及びＳＷ２を設ける必要はない。
【００５８】
なお、以上の説明において、周辺基板ＰＢ１乃至ＰＢ５のいずれかにおいて電源が短絡した場合を例にとり説明を加えたが、本発明の実施の形態はこれに限定されず、２つの周辺基板間を接続するワイヤハーネスにおいて電源が短絡した場合にも同様の作用効果を奏する。例えば、図４において、周辺基板ＰＢ２とＰＢ３を接続するワイヤハーネスで短絡が生じたとすると、周辺基板ＰＢ２の遮断回路２ｂ及び周辺基板ＰＢ３の遮断回路３ａが動作し、当該ワイヤハーネスを切り離す。これにより、当該ワイヤハーネスの短絡が周辺基板ＰＢ１又はＰＢ５を含む遊技機全体の動作に悪影響を与えることがなくなる。したがって、本明細書において、周辺基板での電源の短絡を検出することには、上記ワイヤハーネスにおける電源の短絡を含むものとする。
【００５９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００６０】
【図１】前扉を閉めた状態を示す遊技機の正面図である。
【図２】前扉を１８０度開いた状態を示す遊技機の正面図である。
【図３】遊技機のブロック図である。
【図４】発明の実施の形態に係る遊技機の周辺基板の電源系統を示す図である。
【図５】発明の実施の形態に係る電源監視回路と遮断回路の具体例を示す図である。
【図６】発明の実施の形態に係る電源監視回路と遮断回路の動作説明図である。
【図７】発明の実施の形態に係る電源監視回路と遮断回路の他の具体例を示す図である。
【図８】発明の実施の形態に係る電源供給線の監視処理のフローチャートである。
【図９】発明の実施の形態に係る遊技機の周辺基板の他の電源系統を示す図である。
【図１０】発明の実施の形態に係る電源監視回路と遮断回路の他の具体例を示す図である。
【符号の説明】
【００６１】
２０  サブ基板（処理部）
３１ａ，３１ｂ  作動増幅器
３２ａ、３２ｂ  コンパレータ
３３ａ、３３ｂ  リレー
３３ａ−１、３３ｂ−１  リレー接点（短絡検出信号の出力用）
３３ａ−２、３３ｂ−２  リレー接点（電源遮断用）
３４ａ、３４ｂ  基準電圧源
ＣＯＮ１ａ乃至ＣＯＮ５ａ  第１コネクタ
ＣＯＮ１ｂ乃至ＣＯＮ５ｂ  第２コネクタ
ＭＯＮ１乃至ＭＯＮ５  電源監視回路
ＰＢ１及びＰＢ５  端側の周辺基板
ＰＢ２乃至ＰＢ４  中間の周辺基板
Ｒａ、Ｒｂ  抵抗
ＳＷ１ａ乃至ＳＷ５ａ  第１遮断回路
ＳＷ１ｂ乃至ＳＷ５ｂ  第２遮断回路
ＷＨ  配線（電源供給線）
【図１】
2008132072.tif 000003
【図２】
2008132072.tif 000004
【図３】
2008132072.tif 000005
【図４】
2008132072.tif 000006
【図５】
2008132072.tif 000007
【図６】
2008132072.tif 000008
【図７】
2008132072.tif 000009
【図８】
2008132072.tif 000010
【図９】
2008132072.tif 000011
【図１０】
2008132072.tif 000012